(57)【要約】【課題】任意に設定できるデータテーブルを簡単、迅速に設定することのできるｐＨ又は電気伝導率の測定用の測定装置、及びデータテーブル設定方法を提供する。【解決手段】測定装置１は、溶液のｐＨ値に応じた信号を出力するｐＨ測定電極２１と；溶液の温度に応じた信号を出力する温度検知手段２３と；ｐＨ測定電極２１及び温度検知手段２３が接続された本体１０と；本体１０内に設けられ、標準液のｐＨと温度との関係を示すｐＨ−温度特性データテーブルを記憶する記憶手段１３と；本体１０内に設けられ、標準液の温度に応じて温度検知手段２３が出力した信号に対応するｐＨ値を記憶手段１３から取り出し、そのｐＨ値を用いて校正を行う信号処理手段１１と；本体１０内に設けられた、記憶手段１３に記憶するｐＨ−温度特性データテーブルを本体１０の外部の情報伝達媒体２から取り込む取り込み手段１４と；を有する構成とする。【選択図】図１
2008190969.tif 000002
【特許請求の範囲】
【請求項１】
溶液のｐＨ値に応じた信号を出力するｐＨ測定電極と、
溶液の温度に応じた信号を出力する温度検知手段と、
前記ｐＨ測定電極及び前記温度検知手段が接続された本体と、
前記本体内に設けられ、標準液のｐＨと温度との関係を示すｐＨ−温度特性データテーブルを記憶する記憶手段と、
前記本体内に設けられ、前記標準液の温度に応じて前記温度検知手段が出力した信号に対応するｐＨ値を前記記憶手段から取り出し、そのｐＨ値を用いて校正を行う信号処理手段と、
前記本体内に設けられた、前記記憶手段に記憶する前記ｐＨ−温度特性データテーブルを前記本体の外部の情報伝達媒体から取り込む取り込み手段、及び、前記記憶手段に記憶された前記ｐＨ−温度特性データテーブルを前記本体の外部の情報伝達媒体に出力する出力手段のうちの少なくとも１つと、
を有することを特徴とする測定装置。
【請求項２】
溶液の電気伝導率に応じた信号を出力する電気伝導率測定電極と、
溶液の温度に応じた信号を出力する温度検知手段と、
前記電気伝導率測定電極及び前記温度検知手段が接続された本体と、
前記本体内に設けられ、電気伝導率の温度依存性を表す温度係数と温度との関係を示す温度係数−温度特性データテーブルを記憶する記憶手段と、
前記本体内に設けられ、前記温度検知手段が出力した信号に対応する温度係数値を前記記憶手段から取り出し、その温度係数値を用いて電気伝導率の測定値の温度補償を行う信号処理手段と、
前記本体に設けられた、前記記憶手段に記憶する前記温度係数−温度特性データテーブルを前記本体の外部の情報伝達媒体から取り込む取り込み手段、及び、前記記憶手段に記憶された前記温度係数−温度特性データテーブルを前記本体の外部の情報伝達媒体に出力する出力手段のうちの少なくとも１つと、
を有することを特徴とする測定装置。
【請求項３】
溶液の電気伝導率に応じた信号を出力する電気伝導率測定電極と、
前記電気伝導率測定電極が接続された本体と、
前記本体内に設けられ、電気伝導率と濃度との関係を示す電気伝導率−濃度換算データテーブルを記憶する記憶手段と、
前記本体内に設けられ、前記電気伝導率測定電極の出力した信号に対応する濃度値を前記記憶手段から取り出して、電気伝導率の測定値を濃度の測定値に換算する信号処理手段と、
前記本体内に設けられた、前記記憶手段に記憶する前記電気伝導率−濃度換算データテーブルを前記本体の外部の情報伝達媒体から取り込む取り込み手段、及び、前記記憶手段に記憶された前記電気伝導率−濃度換算データテーブルを前記本体の外部の情報伝達媒体に出力する出力手段のうちの少なくとも１つと、
を有することを特徴とする測定装置。
【請求項４】
前記情報伝達媒体は、前記本体に取り外し可能に接続される記憶手段であり、前記取り込み手段は、該取り外し可能な記憶手段から情報を読み取る読み取り手段であることを特徴とする請求項１〜３のいずれかの項に記載の測定装置。
【請求項５】
前記情報伝達媒体は、前記本体の外部の機器と前記本体とを通信可能に接続する通信手段であり、前記取り込み手段は、該通信手段を通して送信された情報を受信する受信手段であることを特徴とする請求項１〜３のいずれかの項に記載の測定装置。
【請求項６】
前記情報伝達媒体は、前記本体に取り外し可能に接続される記憶手段であり、前記出力手段は、該取り外し可能な記憶手段に情報を書き込む書き込み手段であることを特徴とする請求項１〜３のいずれかの項に記載の測定装置。
【請求項７】
前記情報伝達媒体は、前記本体の外部の機器と前記本体とを通信可能に接続する通信手段であり、前記出力手段は、該通信手段を通して前記機器に情報を送信する送信手段であることを特徴とする請求項１〜３のいずれかの項に記載の測定装置。
【請求項８】
測定装置で使用する、標準液のｐＨと温度との関係を示すｐＨ−温度特性データテーブル、電気伝導率の温度依存性を表す温度係数と温度との関係を示す温度係数−温度特性データテーブル、又は電気伝導率と濃度との関係を示す電気伝導率−濃度換算データテーブルであるデータテーブルを設定する方法であって、
前記測定装置の外部の機器を用いて前記データテーブルを入力する段階と、
該入力されたデータテーブルを情報伝達媒体を介して伝達する段階と、
該伝達されたデータテーブルを前記測定装置内に取り込む段階と、
該取り込まれたデータテーブルを前記測定装置内に設けられた記憶手段に記憶させる段階と、
を有することを特徴とするデータテーブル設定方法。
【請求項９】
前記伝達する段階は、前記入力されたデータテーブルを、前記機器内に設けられた書き込み手段によって前記機器から取り外し可能な記憶手段に記憶させることを含み、前記取り込む段階は、前記機器から取り外して前記測定装置に接続された前記取り外し可能な記憶手段に記憶されたデータテーブルを、前記測定装置内に設けられた読み取り手段によって読み取ることを含むことを特徴とする請求項８に記載のデータテーブル設定方法。
【請求項１０】
前記伝達する段階は、前記入力されたデータテーブルを、前記機器内に設けられた送信手段によって、前記機器と前記測定装置とを通信可能に接続する通信手段を通して送信することを含み、前記取り込む段階は、前記通信手段を通して送信されたデータテーブルを、前記測定装置内に設けられた受信手段によって受信することを含むことを特徴とする請求項８に記載のデータテーブル設定方法。
【請求項１１】
前記機器は、パーソナルコンピュータであることを特徴とする請求項８〜１０のいずれかの項に記載のデータテーブル設定方法。
【請求項１２】
測定装置で使用する、標準液のｐＨと温度との関係を示すｐＨ−温度特性データテーブル、電気伝導率の温度依存性を表す温度係数と温度との関係を示す温度係数−温度特性データテーブル、又は電気伝導率と濃度との関係を示す電気伝導率−濃度換算データテーブルであるデータテーブルを設定する方法であって、
前記データテーブルを前記測定装置内に設けられた記憶手段に記憶させる段階と、
該記憶されたデータテーブルを情報伝達媒体を介して伝達する段階と、
該伝達されたデータテーブルを前記測定装置の外部の機器内に取り込む段階と、
該取り込まれたデータテーブルを前記機器内に設けられた記憶手段に記憶させる段階と、
を有することを特徴とするデータテーブル設定方法。
【請求項１３】
前記伝達する段階は、前記測定装置内の記憶手段に記憶されたデータテーブルを、前記測定装置内に設けられた書き込み手段によって前記測定装置から取り外し可能な記憶手段に記憶させることを含み、前記取り込む段階は、前記測定装置から取り外して前記機器に接続された前記取り外し可能な記憶手段に記憶されたデータテーブルを、前記機器内に設けられた読み取り手段によって読み取ることを含むことを特徴とする請求項１２に記載のデータテーブル設定方法。
【請求項１４】
前記伝達する段階は、前記測定装置内の記憶手段に記憶されたデータテーブルを、前記測定装置内に設けられた送信手段によって、前記測定装置と前記機器とを通信可能に接続する通信手段を通して送信することを含み、前記取り込む段階は、前記通信手段を通して送信されたデータテーブルを、前記機器内に設けられた受信手段によって受信することを含むことを特徴とする請求項１２に記載のデータテーブル設定方法。
【請求項１５】
前記機器は、前記測定装置とは別の第２の測定装置又はパーソナルコンピュータであることを特徴とする請求項１２〜１４のいずれかの項に記載の測定方法。
【発明の詳細な説明】
【技術分野】
【０００１】
本発明は、ｐＨ又は電気伝導率の測定用の測定装置、及びこの測定装置で用いるデータテーブルの設定方法に関するものである。
【背景技術】
【０００２】
従来、溶液のｐＨ（水素イオン濃度）の測定には水素イオン選択性の感応膜を有するｐＨ測定電極が使用され、その代表的なものにガラスをｐＨ感応膜とするガラス電極がある。実際に溶液のｐＨを測定する場合には、ｐＨ測定電極を作用電極とし、この作用電極を甘汞電極や銀−塩化銀電極等の比較電極と共に測定すべき溶液（被測定溶液，被検液）に浸漬し、両電極間の電位差から被測定溶液のｐＨ値を求める。
【０００３】
溶液のｐＨの測定には直接電位差測定方法が広く用いられており、被測定溶液のｐＨの測定に先立ち、ｐＨ測定電極を、通常、ｐＨ６．８６とｐＨ４．０１又はｐＨ９．１８との２つの標準液に浸漬し、２点校正を行なう。場合によっては、上記３つｐＨの異なる標準液を用いて３点校正を行う。上記３つの標準液はＪＩＳで規定されているものである。より具体的には、例えばｐＨ測定電極と比較電極との間の電位差を測定装置の指示計により直読して校正を行なってから、被測定溶液のｐＨの測定を行なう。
【０００４】
ここで、標準液のｐＨは温度によって変化するので、正確な校正を行うためには、標準液の温度を測定して、測定された温度におけるｐＨ値で校正を行う必要がある。そのため、近年では、測定装置にＲＯＭ（リード・オンリー・メモリ）を組み込み、このＲＯＭに上記各標準液についてのｐＨ−温度特性データテーブルを予め記憶させておき、ｐＨ測定電極を校正する際に、各標準液の温度を測定し、ＲＯＭに記憶されたｐＨ−温度特性データテーブルを参照してその温度に対応するｐＨ値を取り出し、この取り出したｐＨ値で自動校正するようにしているものがある。
【０００５】
又、ユーザが上記ＲＯＭに記憶されている所定の標準液以外の任意の標準液でｐＨ測定電極を校正することを望むことがある。この場合に、ユーザが予め調べた所望の任意の標準液のｐＨの温度依存性を示すｐＨ−温度特性データテーブルを、測定装置に設けられたキーを用いて入力することで、測定装置に組み込まれたＲＡＭ（ランダム・アクセス・メモリ）に記憶させるようになっているものがある（特許文献１）。これにより、任意の標準液を用いて校正をする際には、上記ＲＡＭに記憶されたｐＨ−温度特性データテーブルからその標準液の温度に対応するｐＨ値を取り出し、この取り出したｐＨ値で自動校正することができる。
【０００６】
一方、従来、溶液の電気伝導率を測定し、例えば溶液の電解質の割合を調査することが広く行われている。一般的に、溶液の電気伝導率は溶液中に存在するイオンに依存し、金属導体と同様にオームの法則に従う。溶液の場合は、１ｍ立方の相対する２面間の電気抵抗を抵抗率とし、その逆数を電気伝導率としてＳ／ｍの単位で表す。電気伝導率の測定方法としては、少なくとも一対の電極を備えた電気伝導率測定電極（電気伝導率セル）を被測定溶液に浸漬し、この電極間に電圧を印加することで被測定溶液の電気抵抗を測定して電気伝導率を求める、所謂、電極法がある。より具体的には、例えば、セルの電極間に正弦波又は矩形波の交流電圧を印加し、電極間に流れる電流を検出して電気伝導率に換算する。
【０００７】
ところで、溶液の溶質濃度が同じであっても、その溶液の電気伝導率は、溶液の温度により変わる。そのため、溶液の電気伝導率は、一般に、基準温度での電気伝導率に換算して表示される。電気伝導率の換算値は、下記式１により算出される。
ｋT＝ｋt／｛１＋α／１００×（ｔ−Ｔ）｝      ・・・（１）
（但し、Ｔは基準温度［℃］、ｔは溶液の温度［℃］、ｋTは電気伝導率のＴ℃換算値、ｋｔはｔ℃における電気伝導率、αは溶液の温度係数［％］）
【０００８】
通常、基準温度Ｔは２５℃とされる。又、温度係数αは、一般に、固定値（例えば２．００％）として、測定装置に組み込まれたＲＯＭ等に予め設定される。これは、常温程度の通常の水溶液の電気伝導率は１℃の温度変化で約２％変化するので、一般の用途では、温度係数αを２．００％とすることで十分な精度で電気伝導率を測定することができるためである。
【０００９】
しかしながら、測定系によっては、温度係数αが温度によって異なり、温度係数αを固定値として扱うと、所望の精度で電気伝導率を測定できない場合がある。このような場合に、ユーザが予め調べた所望の任意の測定系における温度係数αの温度依存性を示す温度係数−温度特性データテーブルを、測定装置に設けられたキーを用いて入力することで、測定装置に組み込まれたＲＡＭに記憶させるようになっているものがある。
【００１０】
又、従来、所望の任意の測定系における溶液の電気伝導率と、溶液中の溶質の濃度との関係を予め調べておくことで、溶液の電気伝導率の測定値から溶液の濃度を求めることが行われている。この時、測定装置に電気伝導率を指示させて、手動にて溶液の濃度を計算する代わりに、ユーザが予め求めた電気伝導率と濃度との関係を示す電気伝導率−濃度換算データテーブルを、測定装置に設けられたキーを用いて入力することで、測定装置に組み込まれたＲＡＭに記憶させておき、測定装置が自動的に電気伝導率を濃度に換算して指示するようにすることができる。
【００１１】
このように、ｐＨ測定装置又は電気伝導率測定装置によるｐＨ、電気伝導率、或いは濃度の測定において、溶液の温度等の変化により検出値が非直線的な変化をする場合や、換算によって濃度を求める場合には、しばしば校正用又は測定用のデータテーブルを作成して測定装置に設けられた記憶手段に記憶させる。
【００１２】
このデータテーブルは、例えばＪＩＳ等で規定されている標準物質に関するものであれば、予め測定装置に設けられた記憶手段に記憶させておくことができる。しかし、明確な規定の無い標準物質や特殊な物質に関するものの場合は、測定装置に設けられたキーを用いて、手動操作で記憶手段に記憶させる必要があった。
【特許文献１】特開平５−１３３９２７号公報
【発明の開示】
【発明が解決しようとする課題】
【００１３】
しかしながら、上述のようなデータテーブルは、一般に、数個〜数十個の設定データから成り、測定装置に設けられたキーを用いて手動で設定するのは、煩わしい作業であり、間違いを生じる可能性もある。
【００１４】
特に、測定装置自体を小型化するなどの目的で、テンキーのような十分量のキーが設けられておらず、その代わりに単一又は複数のキーを用いて表示画面上のキャラクターを逐次に選択、確定してデータテーブルを入力するようになっている場合などには、非常に煩雑な作業になる。
【００１５】
又、従来、ある測定装置の記憶手段に記憶されたデータテーブルは、その測定装置単体でしか使用できなかった。そのため、同様のデータテーブルを記憶させるべき測定装置が別に１個又は複数個ある場合には、それぞれの測定装置の記憶手段に個別に手動操作でデータテーブルを記憶させる必要があった。このような作業は、極めて煩雑で、時間がかかるものであり、又間違いを生じる可能性が増大する。
【００１６】
従って、本発明の目的の１つは、任意に設定できるデータテーブルを簡単、迅速に設定することのできるｐＨ又は電気伝導率の測定用の測定装置、及びデータテーブル設定方法を提供することである。
【００１７】
本発明の他の目的の１つは、複数の測定装置に同じデータテーブルを簡単、迅速、且つ、正確に設定することのできるｐＨ又は電気伝導率の測定用の測定装置、及びデータテーブル設定方法を提供することである。
【課題を解決するための手段】
【００１８】
上記目的は本発明に係る測定装置及びデータテーブル設定方法にて達成される。要約すれば、第１の本発明によれば、溶液のｐＨ値に応じた信号を出力するｐＨ測定電極と；溶液の温度に応じた信号を出力する温度検知手段と；前記ｐＨ測定電極及び前記温度検知手段が接続された本体と；前記本体内に設けられ、標準液のｐＨと温度との関係を示すｐＨ−温度特性データテーブルを記憶する記憶手段と；前記本体内に設けられ、前記標準液の温度に応じて前記温度検知手段が出力した信号に対応するｐＨ値を前記記憶手段から取り出し、そのｐＨ値を用いて校正を行う信号処理手段と；前記本体内に設けられた、前記記憶手段に記憶する前記ｐＨ−温度特性データテーブルを前記本体の外部の情報伝達媒体から取り込む取り込み手段、及び、前記記憶手段に記憶された前記ｐＨ−温度特性データテーブルを前記本体の外部の情報伝達媒体に出力する出力手段のうちの少なくとも１つと；を有することを特徴とする測定装置が提供される。
【００１９】
第２の本発明によれば、溶液の電気伝導率に応じた信号を出力する電気伝導率測定電極と；溶液の温度に応じた信号を出力する温度検知手段と；前記電気伝導率測定電極及び前記温度検知手段が接続された本体と；前記本体内に設けられ、電気伝導率の温度依存性を表す温度係数と温度との関係を示す温度係数−温度特性データテーブルを記憶する記憶手段と；前記本体内に設けられ、前記温度検知手段が出力した信号に対応する温度係数値を前記記憶手段から取り出し、その温度係数値を用いて電気伝導率の測定値の温度補償を行う信号処理手段と；前記本体に設けられた、前記記憶手段に記憶する前記温度係数−温度特性データテーブルを前記本体の外部の情報伝達媒体から取り込む取り込み手段、及び、前記記憶手段に記憶された前記温度係数−温度特性データテーブルを前記本体の外部の情報伝達媒体に出力する出力手段のうちの少なくとも１つと；を有することを特徴とする測定装置が提供される。
【００２０】
第３の本発明によれば、溶液の電気伝導率に応じた信号を出力する電気伝導率測定電極と；前記電気伝導率測定電極が接続された本体と；前記本体内に設けられ、電気伝導率と濃度との関係を示す電気伝導率−濃度換算データテーブルを記憶する記憶手段と；前記本体内に設けられ、前記電気伝導率測定電極の出力した信号に対応する濃度値を前記記憶手段から取り出して、電気伝導率の測定値を濃度の測定値に換算する信号処理手段と；前記本体内に設けられた、前記記憶手段に記憶する前記電気伝導率−濃度換算データテーブルを前記本体の外部の情報伝達媒体から取り込む取り込み手段、及び、前記記憶手段に記憶された前記電気伝導率−濃度換算データテーブルを前記本体の外部の情報伝達媒体に出力する出力手段のうちの少なくとも１つと；を有することを特徴とする測定装置が提供される。
【００２１】
又、第４の本発明によれば、測定装置で使用する、標準液のｐＨと温度との関係を示すｐＨ−温度特性データテーブル、電気伝導率の温度依存性を表す温度係数と温度との関係を示す温度係数−温度特性データテーブル、又は電気伝導率と濃度との関係を示す電気伝導率−濃度換算データテーブルであるデータテーブルを設定する方法であって、前記測定装置の外部の機器を用いて前記データテーブルを入力する段階と、該入力されたデータテーブルを情報伝達媒体を介して伝達する段階と、該伝達されたデータテーブルを前記測定装置内に取り込む段階と、該取り込まれたデータテーブルを前記測定装置内に設けられた記憶手段に記憶させる段階と、を有することを特徴とするデータテーブル設定方法が提供される。
【００２２】
更に、第５の本発明によれば、測定装置で使用する、標準液のｐＨと温度との関係を示すｐＨ−温度特性データテーブル、電気伝導率の温度依存性を表す温度係数と温度との関係を示す温度係数−温度特性データテーブル、又は電気伝導率と濃度との関係を示す電気伝導率−濃度換算データテーブルであるデータテーブルを設定する方法であって、前記データテーブルを前記測定装置内に設けられた記憶手段に記憶させる段階と、該記憶されたデータテーブルを情報伝達媒体を介して伝達する段階と、該伝達されたデータテーブルを前記測定装置の外部の機器内に取り込む段階と、該取り込まれたデータテーブルを前記機器内に設けられた記憶手段に記憶させる段階と、を有することを特徴とするデータテーブル設定方法が提供される。
【発明の効果】
【００２３】
本発明によれば、任意に設定できるデータテーブルを簡単、迅速に設定することができる。又、本発明によれば、複数の測定装置に同じデータテーブルを簡単、迅速、且つ、正確に設定することができる。
【発明を実施するための最良の形態】
【００２４】
以下、本発明に係る測定装置及びデータテーブル設定方法を図面に則して更に詳しく説明する。
【００２５】
実施例１
［測定装置の全体構成］
図１は本発明に係る測定装置の一実施例を示す概略ブロック図である。本実施例では、測定装置１は、溶液のｐＨの測定に用いられるｐＨ測定装置とされる。
【００２６】
測定装置１は、本体１０と、本体１０に接続された測定部２０とを有する。測定部２０は、ｐＨ測定電極２１と、比較電極２２と、温度検知手段としての温度センサ２３と、を有する。ｐＨ測定電極２１はガラス電極、比較電極２２は銀−塩化銀電極、又温度センサ２３は測温抵抗体で構成される。本実施例では、測定部２０のｐＨ測定電極２１と比較電極２２と温度センサ２３とは、ｐＨ複合電極として一体的に構成されている。
【００２７】
本体１０は、測定装置１の動作を統括的に制御する信号処理手段（制御手段）としてのコントローラ１１を有する。又、本体１０には、コントローラ１１に接続された、所定のプログラムやデータを記憶する第１の記憶手段としてのＲＯＭ１２、詳しくは後述する任意に設定されるデータテーブルを記憶する第２の記憶手段としてのＲＡＭ１３、測定部２０からの信号をアナログ−デジタル変換（Ａ／Ｄ変換）するアナログ−デジタル変換器（Ａ／Ｄ変換器）１６、測定値や各種設定値等を表示する表示部１７、測定操作や校正操作の開始又は停止の指示或いは各種設定値を入力する入力手段としての操作部１８が設けられている。操作部１８には、データを入力するためのキーなどが設けられている。
【００２８】
更に、本体１０には、コントローラ１１に接続された、ＵＳＢ（ユニバーサル・シリアル・バス）接続が可能な第１のインターフェース部１４、ＬＡＮ（ローカルエリア・ネットワーク）接続が可能な第２のインターフェース部１５が設けられている。
【００２９】
この他、本体１０には、詳しい説明は省略するが、本体１０の各部への電力供給或いは測定部１０への測定用電圧の出力のための電源、測定部２０の出力信号を適当に増幅する増幅器等が設けられている。
【００３０】
被測定溶液のｐＨを測定する場合には、ｐＨ複合電極とされる測定部２０が、ビーカー等の容器６内に収容された被測定溶液６１中に浸漬される。そして、ｐＨ測定電極２２及び比較電極２３からの出力電圧信号（ｐＨ測定電極２１と比較電極２２との間の電位差に応じた信号）は、本体１０において、適当に増幅され、又Ａ／Ｄ変換器１６でデジタル信号に変換されて、コントローラ１１に入力される。コントローラ１１に入力された信号は、コントローラ１１において信号処理され、ｐＨ測定電極２１と比較電極２２との間の電位差が検出されて、又検出された電位差に対応するｐＨ値が決定される。そして、コントローラ１１は決定したｐＨ値を、例えば本体１０の表示部１７において表示させる信号を出力する。この時、温度センサ２３からの出力電圧信号も本体１０において適当に増幅され、又Ａ／Ｄ変換器１６でデジタル信号に変換されて、コントローラ１１に入力される。そして、コントローラ１１は、温度センサ２３による温度検知結果を用いて、ｐＨ測定電極２１と比較電極２３との間の電位差から温度補償されたｐＨ値を求めることができる。
【００３１】
［校正操作］
（１）所定の標準液を用いた校正
コントローラ１１に接続された第１の記憶手段としてのＲＯＭ１２には、所定の標準液（通常、ＪＩＳで規定されているｐＨ６．８６、ｐＨ４．０１、ｐＨ９．１８の各ｐＨの標準液）のｐＨ−温度特性データテーブルが予め記憶されている。一方、コントローラ１１に接続された第２の記憶手段としてのＲＡＭ１３には、ユーザが所望する任意の標準液のｐＨ値−温度特性データテーブルが記憶される。
【００３２】
ＲＯＭ１２に記憶されたｐＨ−温度特性データテーブルを用いた所定の標準液での校正は次のようにして行う。即ち、ビーカー等の適当な容器６内に収容された所定の標準液６２に、ｐＨ複合電極とされる測定部２０を浸漬する。そして、コントローラ１１は、ＲＯＭ１２に記憶されているその標準液６２のｐＨ−温度特性データテーブルから、温度センサ２３が標準液６２の温度に応じて出力した信号に対応するｐＨ値を取り出す。そして、その取り出されたｐＨ値によって、その時のｐＨ測定電極２１と比較電極２２との間の電位差に応じた信号に対する指示値の校正を行う。通常、ｐＨ６．８６とｐＨ４．０１又はｐＨ９．１８との２つの標準液に浸漬し、２点校正を行なう。場合によっては、上記３つｐＨの異なる標準液を用いて３点校正を行う。
【００３３】
（２）任意の標準液を用いた校正
（２−１）データテーブルの設定
次に、ＲＯＭ１２に記憶されていないユーザが所望する任意の標準液のｐＨ−温度特性データテーブル（校正用データテーブル）をＲＡＭ１３に記憶させる方法について説明する。
【００３４】
本実施例では、通常多数のデータから成るデータテーブルを操作者が測定装置１に設けられたキーを用いて手動操作で個別に入力するのではなく、測定装置１の外部の情報伝達媒体（情報通信又は記憶媒体）から取り込み、データテーブルをＲＡＭ１３に設定・保存することができるようになっている。
【００３５】
ここで、情報伝達媒体は、測定装置１、及びパーソナルコンピュータ（以下「ＰＣ」という）等の測定装置１の外部の機器（外部機器）に対して取り外し可能な記憶手段であってよい。又、情報伝達媒体は、測定装置１とＰＣ等の外部機器とを通信可能に接続する通信手段であってよい。以下、更に詳しく説明する。
【００３６】
本実施例では、測定装置１は、本体１０に、取り込み手段としての読み取り手段であるＵＳＢ接続が可能な第１のインターフェース部１４を有する。第１のインターフェース部１４は、コントローラ１１に接続されている。第１のインターフェース部１４には、取り外し可能な記憶手段としてのＵＳＢメモリ（フラッシュメモリ）２が取り外し可能に接続される。そして、コントローラ１１は、第１のインターフェース部１４に接続されたＵＳＢメモリ２から、このＵＳＢメモリ２に予め記憶されている所望の任意の標準液のｐＨ−温度特性データテーブルを、第１のインターフェース部１４を介して取り込み、ＲＡＭ１３に記憶させる。
【００３７】
規格化されていない標準液のｐＨ−温度特性データテーブルは、詳しくは後述するように、ＰＣ等の外部機器において作成して、通常は、一旦この外部機器の有する（即ち、ＰＣ等の外部機器に内蔵されるか又はその外部機器に接続された）ハードディスク等の記憶手段に記憶される。このＰＣ等の外部機器は、読み取り／書き込み手段としてのＵＳＢ接続が可能なインターフェース部を有する。別法として、このようなｐＨ−温度特性データテーブルは、ＰＣ等の外部機器において、ネットワーク（ＬＡＮ、インターネット等）を介して他の機器からダウンロードすることができる。
【００３８】
そして、この外部機器の有する記憶手段に記憶されたｐＨ−温度特性データテーブルは、この外部機器にＵＳＢメモリ２を接続することによって、そのＵＳＢメモリ２に書き込むことができる。次いで、上述のように、このＵＳＢメモリ２を外部機器から取り外し、測定装置１に接続して、ｐＨ−温度特性データテーブルをＵＳＢメモリ２から測定装置１に一括で取り込むことができる。
【００３９】
ＵＳＢメモリ２を用いてＲＡＭ１３にｐＨ−温度特性データテーブルを記憶させる動作は、操作者が操作部１８に設けられたキーによって開始指示を入力することで開始するようになっていてもよい。或いは、この動作は、ＵＳＢメモリ２が第１のインターフェース部１４に接続されたことをコントローラ１１が認識して自動的に開始するようになっていてもよい。
【００４０】
一方、本実施例では、測定装置１は、本体１０に、取り込み手段としての受信手段であるＬＡＮ接続が可能な第２のインターフェース部１５を有する。第２のインターフェース部１５は、コントローラ１１に接続されている。第２のインターフェース部１５には、通信手段としての情報通信ケーブルであるＬＡＮケーブル３の一方の末端が取り外し可能に接続される。本実施例では、ＬＡＮケーブル３の他方の末端は、外部機器としてのＰＣ４に取り外し可能に接続される。外部機器としてのＰＣ４は、受信／送信手段としてのＬＡＮ接続が可能なインターフェース部を有する。そして、コントローラ１１は、ＰＣ４の有する記憶手段から、上述のようにしてこの記憶手段に予め記憶されている所望の任意の標準液のｐＨ−温度特性データテーブルを、第２のインターフェース部１５を介して取り込み、ＲＡＭ１３に記憶させる。或いは、ＰＣ４において入力するｐＨ−温度特性テーブルデータを、直接、測定装置１のＲＡＭ１３に書き込むことができる。
【００４１】
このようにして、取り外し可能な記憶手段を使用しない場合において、ＰＣ４と測定装置１とを接続する通信手段を用いて、規格化されていない標準液のｐＨ−温度特性データテーブルを、直接、測定装置１に書き込むことができる。
【００４２】
ＬＡＮケーブル３を用いてＲＡＭ１３にｐＨ−温度特性データテーブルを記憶させる動作は、操作者がＰＣ４の操作部によって開始指示を入力することで開始するようになっていてよい。或いは、この動作は、測定装置１の操作部１８に設けられたキーによって開始指示を入力することで開始するようになっていてもよい。
【００４３】
このように、本実施例では、外部機器４からは、ＵＳＢ２、ＬＡＮケーブル３のいずれを介しても、データテーブルを測定装置に取り込むことができる。
【００４４】
図２は、上述のデータテーブル設定方法の概略フローチャートである。即ち、データテーブル設定方法は、（ｉ）測定装置１の外部の機器（ＰＣ等の外部機器）４を用いて、標準液のｐＨと温度との関係を示すｐＨ−温度特性データテーブルであるデータテーブルを入力する段階と、（ｉｉ）該入力されたデータテーブルを情報伝達媒体を介して伝達する段階と、（ｉｉｉ）該伝達されたデータテーブルを測定装置１内に取り込む段階と、（ｉｖ）該取り込まれたデータテーブルを測定装置１内に設けられた記憶手段（ＲＡＭ）１３に記憶させる段階と、を有する。
【００４５】
一実施態様では、上記（ｉｉ）の伝達する段階は、上記入力されたデータテーブルを、外部機器４内に設けられた書き込み手段によって外部機器４から取り外し可能な記憶手段（ＵＳＢメモリ）２に記憶させることを含み、上記（ｉｉｉ）の取り込む段階は、外部機器４から取り外して測定装置１に接続された取り外し可能な記憶手段２に記憶されたデータテーブルを、測定装置１内に設けられた読み取り手段（第１のインターフェース部）１４によって読み取ることを含む。又、他の実施態様では、上記（ｉｉ）の伝達する段階は、上記入力されたデータテーブルを、外部機器４内に設けられた送信手段によって、外部機器４と測定装置１とを通信可能に接続する通信手段（ＬＡＮケーブル）３を通して送信することを含み、上記（ｉｉｉ）の取り込む段階は、通信手段３を通して送信されたデータテーブルを、測定装置１内に設けられた受信手段（第２のインターフェース部）１５によって受信することを含む。
【００４６】
ＰＣ等の外部機器によれば、通常、測定装置１に設けられたキーよりも操作性の良い付属のキーボードを用いて、例えば数個〜数十個の設定データから成るデータテーブルも比較的容易に作成することができ、データテーブル作成時間を短縮し、又間違いの発生も少なくすることができる。又、ネットワークからデータテーブルをダウンロードする場合には、更にデータテーブルを作成する手間は省ける。
【００４７】
勿論、測定装置１が更に、従来同様、本体１０の操作部１８のキーを用いて手動操作でデータテーブルをＲＡＭ１３に記憶させ得るようになっていてもよい。
【００４８】
（２−２）データテーブルの出力
次に、ＲＡＭ１３に記憶された所望の任意の標準液のｐＨ−温度特性データテーブルを測定装置１から出力（転送）する方法について説明する。
【００４９】
本実施例では、測定装置１のＲＡＭ１３に記憶されているデータテーブルを、測定装置１の外部の情報伝達媒体（情報通信又は記憶媒体）を介して別の測定装置１やＰＣ等の外部機器に転送できるようになっている。これにより、ある測定装置１から、別の測定装置１やＰＣ等の外部機器に、同じデータテーブルを簡単に移植することができる。
【００５０】
ここで、情報伝達媒体は、測定装置１、及びＰＣ等の外部機器に対して取り外し可能な記憶手段であってよい。又、情報伝達媒体は、測定装置１と記憶手段を有するＰＣ等の外部機器とを通信可能に接続する通信手段であってよい。以下、更に詳しく説明する。
【００５１】
本実施例では、上記読み取り手段として機能する第１のインターフェース部１４が、出力手段としての書き込み手段としても機能する。即ち、第１のインターフェース部１４には、ＵＳＢメモリ２が取り外し可能に接続される。そして、コントローラ１１は、ＲＡＭ１３に記憶されている所望の任意の標準液のｐＨ−温度特性データテーブルを、第１のインターフェース部１４を介して、第１のインターフェース部１４に接続されたＵＳＢメモリ２に記憶させる。
【００５２】
その後、このＵＳＢメモリ２をその測定装置１から取り外し、別の測定装置１に接続して、上述の方法と同様にして、この別の測定装置１のＲＡＭ１３に、上記所望の任意の標準液のｐＨ−温度特性データテーブルを記憶させることができる。或いは、ＵＳＢメモリ２は、ＲＡＭ１３から任意の所望の標準液のｐＨ−温度特性データテーブルが記憶された後に、その測定装置１から取り外され、ＰＣ等の外部機器に接続されて、このＰＣ等の外部機器の有する記憶手段に、このＵＳＢメモリ２からの該ｐＨ−温度特性データテーブルを記憶させることができる。このＰＣ等の外部機器の有する記憶手段に転送されたｐＨ−温度特性データテーブルは、上述の方法と同様にして、更に別の測定装置１やＰＣ等の外部機器に転送することができる。
【００５３】
ＵＳＢメモリ２へｐＨ−温度特性データテーブルを記憶させる動作は、操作者が操作部１８に設けられたキーによって開始指示を入力することで開始するようになっていてよい。或いは、この動作は、ＵＳＢメモリ２が第１のインターフェース部１４に接続されたことをコントローラ１１が認識して自動的に開始するようになっていてもよい。
【００５４】
一方、本実施例では、上記受信手段として機能する第２のインターフェース部１５が、出力手段としての送信手段としても機能する。即ち、第２のインターフェース部１５には、ＬＡＮケーブル３の一方の末端が取り外し可能に接続される。ＬＡＮケーブル３の他方の末端はＰＣ４に取り外し可能に接続される。そして、コントローラ１１は、ＲＡＭ１３に記憶されている所望の任意の標準液のｐＨ−温度特性データテーブルを、第２のインターフェース部１５を介して、ＰＣ４へと送信する。ＰＣ４は、このｐＨ−温度特性データテーブルを、ＰＣ４の有する記憶手段に記憶させることができる。
【００５５】
その後、このＰＣ４の有する記憶手段に記憶されたｐＨ−温度特性データテーブルは、上述の方法と同様にして、ＵＳＢメモリ２、ＬＡＮケーブル３を介して別の測定装置１やＰＣ等の外部機器の記憶手段に記憶させることができる。
【００５６】
ＬＡＮケーブル３を介したｐＨ−温度特性データテーブルの送信動作は、操作者がＰＣ４の操作部によって開始指示を入力することで開始するようになっていてよい。或いは、この動作は、測定装置１の操作部１８に設けられたキーによって開始指示を入力することで開始するようになっていてもよい。
【００５７】
ここで、測定装置１のＲＡＭ１３に記憶されている、他の機器に出力すべきｐＨ−温度特性データテーブルは、前述のようにして、ＵＳＢメモリ２又はＬＡＮケーブル３を用いて記憶されたものであっても、或いは別法として測定装置１の操作部１８のキーを用いて入力されたものであってもよい。
【００５８】
このように、本実施例では、測定装置１からは、ＵＳＢ２、ＬＡＮケーブル３のいずれを介してもデータテーブルを外部機器に対して出力することができる。
【００５９】
図３は、上述のデータテーブル設定方法の概略を示すフローチャート図である。即ち、データテーブル設定方法は、（Ｉ）標準液のｐＨと温度との関係を示すｐＨ−温度特性データテーブルであるデータテーブルを、測定装置１内に設けられた記憶手段（ＲＡＭ）１３に記憶させる段階と、（ＩＩ）該記憶されたデータテーブルを情報伝達媒体を介して伝達する段階と、（ＩＩＩ）該伝達されたデータテーブルを測定装置１の外部の機器（別の測定装置１やＰＣ等の外部機器）内に取り込む段階と、（ＩＶ）該取り込まれたデータテーブルを外部機器内に設けられた記憶手段に記憶させる段階と、を有する。
【００６０】
一実施態様では、上記（ＩＩ）の伝達する段階は、測定装置１内の記憶手段１３に記憶されたデータテーブルを、測定装置１内に設けられた書き込み手段（第１のインターフェース部）１４によって測定装置１から取り外し可能な記憶手段（ＵＳＢメモリ）２に記憶させることを含み、上記（ＩＩＩ）の取り込む段階は、測定装置１から取り外して外部機器に接続された取り外し可能な記憶手段２に記憶されたデータテーブルを、外部機器内に設けられた読み取り手段によって読み取ることを含む。又、他の実施態様では、上記（ＩＩ）の伝達する段階は、測定装置１内の記憶手段１３に記憶されたデータテーブルを、測定装置１内に設けられた送信手段（第２のインターフェース部）１５によって、測定装置１と外部機器とを通信可能に接続する通信手段（ＬＡＮケーブル）３を通して送信することを含み、上記（ＩＩＩ）の取り込む段階は、通信手段３を通して送信されたデータテーブルを、外部機器内に設けられた受信手段によって受信することを含む。
【００６１】
上述のように、ある測定装置１のＲＡＭ１３に記憶された所望の任意の標準液のｐＨ−温度特性データテーブルを、別の測定装置１やＰＣ等の外部機器に一括で転送（移植）できるようにすることで、同様のデータテーブルを記憶させるべき測定装置１が別に１個又は複数個ある場合に、それぞれの測定装置１に個別に手動操作でデータテーブルを記憶させる必要がなく、作業性は極めて向上し、データテーブルの設定時間を短縮し、又間違いを生じる可能性を大幅に減少することができる。
【００６２】
（２−３）データテーブルの作成及び校正操作
ここで、ユーザが所望する任意の標準液のｐＨ−温度特性データテーブルは、例えば次のようにして予め作成することができる。例えば、所望の任意の標準液の温度を０℃〜１００℃の範囲において５℃毎に変化させて、測定装置１においてその時のその標準液のｐＨ値を測定する。このようにして測定したｐＨ値と温度との関係を、外部機器としてのＰＣ等にインストールされた表計算用のソフトウェアのような任意のソフトウェアを用いて入力し、例えばＣＳＶ形式のデータテーブルとしてＰＣ等の外部機器の有する記憶手段に記憶させる。
【００６３】
又、ＲＡＭ１３に記憶されたｐＨ−温度特性データテーブルを用いた所望の任意の標準液での校正は、用いるｐＨ−温度特性データテーブルが異なることを除いて、実質的に上述の所定の標準液を用いて校正を行う場合と同様にして行うことができる。
【００６４】
即ち、ビーカー等の適当な容器６に所望の任意の標準液６２を注入し、この標準液６２にｐＨ複合電極とされる測定部２０を浸漬し、この標準液６２の温度を温度センサ２３により測定し、デジタル信号に変換してコントローラ１１に供給し、この測定温度に対応する標準液のｐＨ値をＲＡＭ１３からコントローラ１１へ取り出し、このｐＨ値を用いてｐＨ測定電極２１と比較電極２２との間の電位差に応じた信号に対応する指示値の校正を行ない、不斉電位、スロープ等を算出する。即ち、コントローラ１１は、所望の任意の標準液の温度に応じて温度センサ２３が出力した信号に対応するｐＨ値をＲＡＭ１３から取り出し、そのｐＨ値を用いて校正を行う。この場合、上述したように、ＲＡＭ１３に記憶した温度は５℃単位であるので、中間の温度に対するｐＨ値は、例えば補間法等により算出することができる。勿論、更に細かい温度毎のｐＨ値を記憶させてもよい。又、標準液の温度測定は、上述のような温度センサ２３で行なうことができる。従って、温度測定から、この測定温度に対応する標準液のｐＨ値を取り出し、校正するまでの操作は自動的に行なうことができる。
【００６５】
以上、本実施例によれば、任意に設定できるデータテーブルを簡単、迅速に設定することができる。又、本実施例によれば、複数の測定装置に同じデータテーブルを簡単、迅速、且つ、正確に設定することができる。
【００６６】
実施例２
次に、本発明の他の実施例について説明する。図４は本発明に係る測定装置の他の実施例を示す概略ブロック図である。本実施例では、測定装置１は、溶液の電気伝導率の測定に用いられる電気伝導率測定装置とされる。
【００６７】
尚、ｐＨ測定装置とされる実施例１の測定装置のものと同一又はそれに相当する機能を有する要素には同一の符号を付し、詳しい説明は省略する。
【００６８】
本実施例では、測定装置１は、電極法によって溶液の電気伝導率を測定するように構成される。即ち、測定装置１は、一対の電極（白金黒メッキ電極）２４ａ、２４ｂを備えた電気伝導率測定電極（電気伝導率セル）とされる測定部２０を有する。測定部２０には、温度センサ２３も一体的に設けられている。
【００６９】
電気伝導率を測定する際には、測定部２０を被測定溶液に浸漬し、本体１０に設けられた電気伝導率測定用の交流電源から、測定部２０の電極２４ａ、２４ｂ間に交流電圧を印加して、その時流れる電流を検出する。測定部２０の検出出力は、本体１０において、適当に増幅され、又Ａ／Ｄ変換器１６でＡ／Ｄ変換されて、コントローラ１１に入力される。コントローラ１１は、測定値にセル定数や温度などの補正を加えて電気伝導率を算出し、例えば本体１０に設けられた表示部１７において電気伝導率を表示させる信号を出力する。尚、本実施例では、測定部２０は２つの電極を有するが、より多くの電極を有していてもよい。
【００７０】
コントローラ１１は、測定値を、下記式１、
ｋT＝ｋt／｛１＋α／１００×（ｔ−Ｔ）｝      ・・・（１）
（但し、Ｔは基準温度［℃］、ｔは溶液の温度［℃］、ｋTは電気伝導率のＴ℃換算値、ｋｔはｔ℃における電気伝導率、αは溶液の温度係数［％］）
に基づいて基準温度Ｔでの電気伝導率に換算する。基準温度Ｔは、例えば２５℃である。
【００７１】
ところで、一般の用途では、温度係数αを２．００％とすることで十分な精度で電気伝導率を測定することができる。そこで、本実施例では、第１の記憶手段としてのＲＯＭ１２には、電気伝導率の温度依存性を表す所定の温度係数として、２．００％が記憶されている。
【００７２】
しかしながら、測定系によっては、温度係数αを固定値として扱うと、十分な精度で電気伝導率を測定することができない場合がある。このような場合には、予め温度係数αの温度依存性を調べておくことで、任意の温度の溶液の電気伝導率をより正確に温度補償することができる。
【００７３】
そこで、本実施例では、ユーザが所望する任意の測定系における温度係数−温度特性データテーブル（測定用データテーブル）を、第２の記憶手段としてのＲＡＭ１３に記憶させ得るようになっている。
【００７４】
温度係数−温度特性データテーブルは、実施例１におけるｐＨ−温度特性データテーブルと同様に、ＰＣ等の外部機器において作成して、通常は、一旦その外部機器の有する記憶手段に記憶される。別法として、温度係数−温度特性データテーブルは、ＰＣ等の外部機器において、ネットワークを介して他の機器からダウンロードすることができる。
【００７５】
そして、この温度係数−温度特性データテーブルは、実施例１におけるｐＨ−温度特性データテーブルと同様にして、ＵＳＢメモリ２及び／又はＬＡＮケーブル１５を介して、第１又は第２のインターフェース１４、１５によって測定装置１に取り込み、ＲＡＭ１３に記憶させることができる。
【００７６】
又、このＲＡＭ１３に記憶された温度係数−温度特性データテーブルは、実施例１におけるｐＨ−温度特性データテーブルと同様にして、ＵＳＢメモリ２及び／又はＬＡＮケーブル１５を介して、別の測定装置１やＰＣ等の外部機器に移植することができる。
【００７７】
ここで、ユーザが所望する任意の測定系における温度係数−温度特性データテーブルは、例えば次のようにして予め求めることができる。基準温度（例えば２５℃）における電気伝導率が既定値とされた所望の任意の測定系の溶液の温度を、例えば０℃〜８０℃の範囲で１℃刻みで変化させ、各温度において測定装置１を用いて温度補償を行わずに電気伝導率を測定する。そして、基準温度を例えば２５℃とした場合の各温度における温度係数を上記式１から算出する。このようにして測定した温度係数と温度との関係を、実施例１におけるｐＨ−温度特性データテーブルの場合と同様にして外部機器としてのＰＣ等によって入力し、保存することができる。
【００７８】
ＲＡＭ１３に記憶された温度係数−温度特性データテーブルを用いて所望の測定系の被測定溶液の電気伝導率を測定する場合には、被測定溶液の電気伝導率に応じて電極２４ａ、２４ｂが出力する信号を検出し、又被測定液の温度に応じて温度センサ２３が出力する信号を検出する。コントローラ１１は、検出された温度に対応する温度係数αをＲＡＭ１３から取り出し、この温度係数αを用いて上記式１により被測定液の電気伝導率を基準温度におけるものに換算する。即ち、コントローラ１１は、ＲＡＭ１３に記憶された温度係数−温度特性データテーブルに従う溶液の温度に応じて温度センサ２３が出力した信号に対応する温度係数値をＲＡＭ１３から取り出し、その温度係数値を用いて電気伝導率の測定値の温度補償を行う。
【００７９】
以上、本実施例のように測定装置１が電気伝導率測定装置であり、所望の温度係数−温度特性データテーブルを設定したい場合にも、実施例１と同様の効果を得ることができる。
【００８０】
実施例３
次に、本発明の更に他の実施例について説明する。本実施例では、測定装置は、実施例２と同様の電気伝導率測定装置である。本実施例の測定装置１の概略構成は、図４に示した通りである。
【００８１】
但し、本実施例では、測定装置１は、コントローラ１１が、被測定溶液の電気伝導率と、被測定溶液中の溶質の濃度との関係を用いて、被測定溶液の濃度を自動的に求めることができるようになっている。
【００８２】
即ち、本実施例では、ユーザが所望する任意の測定系における電気伝導率−濃度変換データテーブル（測定用データテーブル）を、第２の記憶手段としてのＲＡＭ１３に記憶させ得るようになっている。
【００８３】
電気伝導率−濃度変換データテーブルは、実施例１におけるｐＨ−温度特性データテーブル及び実施例２における温度係数−温度特性データテーブルと同様に、ＰＣ等の外部機器において作成して、通常は、一旦その外部機器の有する記憶手段に記憶される。別法として、温度係数−温度特性データテーブルは、ＰＣ等の外部機器において、ネットワークを介して他の機器からダウンロードすることができる。
【００８４】
そして、この電気伝導率−濃度換算データテーブルは、実施例１におけるｐＨ−温度特性データテーブル及び実施例２における温度係数−温度特性データテーブルと同様にして、ＵＳＢメモリ２及び／又はＬＡＮケーブル１５を介して、第１又は第２のインターフェース１４、１５によって測定装置１に取り込み、ＲＡＭ１３に記憶させることができる。
【００８５】
又、このＲＡＭ１３に記憶された電気伝導率−濃度データテーブルは、実施例１におけるｐＨ−温度特性データテーブル及び実施例２における温度係数−温度特性データテーブルと同様にして、ＵＳＢメモリ２及び／又はＬＡＮケーブル１５を介して、別の測定装置１やＰＣ等の外部機器に移植することができる。
【００８６】
ここで、ユーザが所望する任意の測定系における電気伝導率−濃度換算データテーブルは、所望の測定系の溶質の濃度を異ならせた標準濃度系列を調製し、電気伝導率と濃度との関係を調べることで、予め求めることができる。例えば、基準温度を２５℃とした場合の電気伝導率と濃度との関係を求めておく。このようにして測定した電気伝導率と濃度との関係を、実施例１におけるｐＨ−温度特性データテーブル及び実施例２における温度係数−温度特性データテーブルの場合と同様にして外部機器としてのＰＣ等によって入力し、保存することができる。
【００８７】
ＲＡＭ１３に記憶された電気伝導率−濃度換算データテーブルを用いて所望の測定系の被測定溶液の濃度を測定する場合には、被測定溶液の電気伝導率に応じて電極２４ａ、２４ｂが出力する信号を検出し、又被測定溶液の温度に応じて温度センサ２３が出力する信号を検出する。コントローラ１１は、先ず、上記式１に従って基準温度における被測定溶液の電気伝導率を求める。この時、一般に、温度係数αはＲＯＭ１２に記憶されている固定値を用いる。次いで、コントローラ１１は、ＲＡＭ１３に記憶されている電気伝導率−濃度変換テーブルから、測定された電気伝導率に対応する濃度を取り出し、電気伝導率の測定値をこの濃度に変換する。そして、コントローラ１１は、求めた濃度を、例えば本体１０の表示部１７で表示させる信号を出力する。即ち、コントローラ１１は、電気伝導率測定電極２０の出力した信号に対応する濃度値をＲＡＭ１３から取り出して、電気伝導率の測定値を濃度の測定値に換算する。
【００８８】
以上、本実施例のように測定装置１が電気伝導率測定装置であり、所望の電気伝導率−濃度変換テーブルを設定したい場合にも、実施例１及び２と同様の効果を得ることができる。
【００８９】
上記実施例では本発明を具体的な実施態様に則して説明したが、本発明は上述の実施態様に限定されるものではなく、必要に応じて種々に変形及び変更できるものである。
【００９０】
例えば、上記実施例では、取り外し可能な記憶手段はＵＳＢメモリ２であるものとして説明したが、本発明は斯かる態様に何ら限定されるものではない。例えば、メモリーカード（フラッシュメモリ）、フレキシブルディスク、取り外し可能なハードディスクなどのその他の任意の取り外し可能な記憶手段を利用することができる。読み取り手段／書き込み手段としてのインターフェース部は、それぞれの態様の記憶手段に適合するように構成すればよい。
【００９１】
又、上記実施例では、情報通信ケーブルは、測定装置１とＰＣ４とに直接接続されたＬＡＮケーブルであるものとして説明したが、本発明は斯かる態様に何ら限定されるものではない。例えば、ＵＳＢケーブル等のその他の任意の情報通信ケーブルを利用することができる。又、上記実施例では通信手段は有線にて接続するものであったが、無線にて接続するものであってもよい。更に、情報通信ケーブルは、測定装置１とＰＣ４とを直接接続することに限定されるものではなく、ＬＡＮに接続された複数のＰＣ４に接続可能とされていたり、別の単一又は複数の測定装置１に接続可能とされていたりしてよい。これにより、複数のＰＣ４から特定の測定装置１へのデータテーブルの転送、特定の測定装置１から複数のＰＣ４へのデータテーブルの転送、特定の測定装置１から別の単一又は複数の測定装置１へのデータテーブルの転送を可能とすることができる。測定装置１と別の測定装置１とを直接通信可能に接続してもよい。
【００９２】
又、上記実施例では、測定装置１は、第１、第２のインターフェース部１４、１５の両方を備えていたが、これらのいずれか一方が設けられていてもよい。又、測定装置１は、外部機器から当該測定装置１内へのデータテーブルの取り込み、及び、当該測定装置１から外部機器へのデータテーブルの出力のうちの少なくとも一方を行えるようになっていてよい。
【００９３】
又、ＲＡＭ１３に複数種類のデータテーブルを記憶させ、例えば測定装置１の操作部１８に設けられたキーなどを用いて選択して用いるようにしてもよい。
【００９４】
更に、上記実施例では、測定装置１の測定結果は、本体１０に設けられた表示部で表示するものとして説明したが、これに限定されるものではない。例えば、測定結果は、本体１０に接続されたプリンタによって印字して出力することができる。又、測定結果は、例えば、本体１０と通信可能に接続されたＰＣ等の外部機器に送信して、この外部機器の表示部で表示したり、この外部機器に接続されたプリンタによって印字して出力したりすることができる。
【図面の簡単な説明】
【００９５】
【図１】本発明に係る測定装置の一実施例を示す概略ブロック図である。
【図２】本発明に係るデータテーブル設定方法の一実施例を示すフローチャートである。
【図３】本発明に係るデータテーブル設定方法の他の実施例を示すフローチャートである。
【図４】本発明に係る測定装置の他の実施例の概略ブロック図である。
【符号の説明】
【００９６】
１        測定装置（ｐＨ測定装置，電気伝導率測定装置）
２        ＵＳＢメモリ（取り外し可能な記憶手段，情報伝達媒体）
３        ＬＡＮケーブル（通信手段，情報伝達媒体）
４        パーソナルコンピュータ（外部機器）
１０      本体
１２      ＲＯＭ（第１の記憶手段）
１３      ＲＡＭ（第２の記憶手段）
１４      第１のインターフェース部（読み取り／書き込み手段）
１５      第２のインターフェース部（受信／送信手段）
２０      測定部（ｐＨ複合電極，電気伝導率セル）
【図１】
2008190969.tif 000003
【図２】
2008190969.tif 000004
【図３】
2008190969.tif 000005
【図４】
2008190969.tif 000006